(57)【要約】      （修正有）【課題】モップ又は清掃ブラシ等のクリーニング用具に用いられ、構造が簡単で、軽くて使いやすく、利便性が高く、液体層が液体を便利に放出すると共に払拭層に浸透し、各種の払拭・清潔に有益である液体層を有する払拭構造及びクリーニング装置を提供する。【解決手段】液体層を有する払拭構造１００であって、シール辺を有する液体層１と、引手２と、バリア層と、第１の払拭層４と、第２の払拭層５とを含み、液体層は、液体１１を内部に密封し、引手の一端は、液体層一側のシール辺１２に連接され、液体層、引手及びバリア層は、第１の払拭層と第２の払拭層との間に設けられ、バリア層、第１の払拭層及び第２の払拭層は、それぞれ結合されると共に縁に少なくとも１つの固定部６が形成され、モップ又は清掃ブラシ等のクリーニング用具に固定させることができる。【選択図】図１
0003165088.tif 000002
【実用新案登録請求の範囲】
【請求項１】
シール辺を有し、液体を内部に密封する液体層と、
一端が前記液体層の一側のシール辺に連接される引手と、
前記液体層の一面に連接されるバリア層と、
第１の払拭層と、
第２の払拭層と、を含み、
前記液体層と、前記引手と、前記バリア層と、は前記第１の払拭層と前記第２の払拭層との間に設けられ、前記バリア層と、前記第１の払拭層と前記第２の払拭層と、はそれぞれ結合され、前記バリア層と、前記第１の払拭層と、前記第２の払拭層と、の縁には、少なくとも１つの固定部が形成される液体層を有する払拭構造。
【請求項２】
前記液体層のシール辺には、前記引手に近接する両側にそれぞれ切口が設けられる請求項１に記載の液体層を有する払拭構造。
【請求項３】
前記引手の他端は、折り曲げられると共に前記液体層と前記第１の払拭層の一側から伸び出す請求項２に記載の液体層を有する払拭構造。
【請求項４】
前記少なくとも１つの固定部は、前記バリア層と、前記第１の払拭層と、前記第２の払拭層と、の両側、又は三側、又は四側に設けられる請求項１に記載の液体層を有する払拭構造。
【請求項５】
一端が前記液体層の他側のシール辺に連接される１つの引手を更に含む請求項１に記載の液体層を有する払拭構造。
【請求項６】
内部に液体を収納する液体層と、
一端が前記液体層の一側のシール辺に連接される引手と、
前記液体層の一面に連接されるバリア層と、
第１の払拭層と、を含み、
前記液体層は、前記バリア層と前記第１の払拭層との間に設けられ、前記バリア層と前記第１の払拭層とは結合され、前記バリア層と前記第１の払拭層との縁には、少なくとも１つの固定部が形成される液体層を有する払拭構造。
【請求項７】
前記液体層のシール辺には、前記引手に近接する両側にそれぞれ切口が設けられる請求項６に記載の液体層を有する払拭構造。
【請求項８】
前記引手の他端は、折り曲げられると共に、前記液体層と前記第１の払拭層との一側から伸び出す請求項７に記載の液体層を有する払拭構造。
【請求項９】
シール辺を有する液体層と、引手と、バリア層と、第１の払拭層と、第２の払拭層と、を含み、前記液体層は、液体を内部に密封し、前記引手の一端は、前記液体層一側のシール辺に連接され、前記バリア層は、液体層の一面に連接され、前記液体層と、前記引手と、前記バリア層と、は前記第１の払拭層と前記第２の払拭層との間に設けられ、前記バリア層と、前記第１の払拭層と、前記第２の払拭層と、はそれぞれ結合され、前記バリア層と、前記第１の払拭層と、前記第２の払拭層と、の縁には、少なくとも１つの固定部が形成される払拭構造と、
ヘッド部と、
棒体と、を含み、
前記ヘッド部は、前記棒体の一端に連接され、前記払拭構造は、前記ヘッド部を覆い、前記固定部は、前記ヘッド部に固定される液体層を有するクリーニング装置。
【請求項１０】
前記液体層のシール辺は、前記引手に近接する両側にそれぞれ切口が設けられる請求項９に記載の液体層を有するクリーニング装置。
【請求項１１】
前記引手の他端が折り曲げられると共に、前記液体層と、前記第１の払拭層の一側から伸び出る請求項１０に記載の液体層を有するクリーニング装置。
【請求項１２】
前記少なくとも１つの固定部は、前記バリア層と、前記第１の払拭層と、前記第２の払拭層と、の両側、又は三側、又は四側に設けられる請求項９に記載の液体層を有するクリーニング装置。
【請求項１３】
一端が前記液体層の他側のシール辺に連接される１つの引手を更に含む請求項９に記載の液体層を有するクリーニング装置。
【請求項１４】
前記ヘッド部にファスニングテープが設けられ、前記固定部がファスニングテープによって前記ヘッド部に接着固定される請求項９に記載の液体層を有するクリーニング装置。
【請求項１５】
前記ヘッド部に固定槽が設けられ、前記固定部が固定槽によって前記ヘッド部に係合固定される請求項９に記載の液体層を有するクリーニング装置。
【考案の詳細な説明】
【技術分野】
【０００１】
本考案は払拭構造に関し、特に払拭・清潔に有益である、液体層を有する払拭構造及びクリーニング装置に関する。
【背景技術】
【０００２】
床、ガラス、壁又はその他の物品の汚れを払拭する際、モップ又は清掃ブラシ等のクリーニング用具を水に浸したものを絞る、もしくは、適量のクレンザーを付けて、払拭することが一般的に行われている。しかし、この方法では事前に容器やクレンザーを用意する必要があると共に、水源の確保が必要であるため、急に払拭が必要となった場合等、水やクレンザーが調達しにくい時に、非常に不便である。
【０００３】
図９は、周知のクリーニング装置を示す。中空のハンドル１０aは、注入される液体をトレイ１１a内に送り込むことに用いられ、液体はトレイ１１a底部の複数の穿孔１２aによって海綿１３aに送出される。該海綿１３aの下方は、ロールベルト１４aにて覆われる。該ロールベルト１４aは、吸水性材料で製造され、ローラー１５a、１６aに巻き付けられる。この構造により、ロールベルト１４aを液体に浸透させ、湿清掃を行うことができる。
【０００４】
また、図１０は、他種の周知クリーニング装置を示す。それによると、ハンドル２０aに座体２１aが設けられ、該座体２１aには、液体を収納する缶体２２aが設けられる。該缶体２２a内の液体は、座体２１aを通ってハンドル２０a下端の払拭部２３aに送出される。これによって湿清掃を行うことができる。
【０００５】
しかしながら、上述した周知のクリーニング装置は、構造が複雑、体積が大きい、付属の液体を必要とする等、非常に不便である。
【０００６】
本考案者は、上述の問題点に鑑み、鋭意検討を重ねた結果、合理的な設計であり、且つ前記欠点を有効に改善する本考案を提出するに至った。
【考案の概要】
【考案が解決しようとする課題】
【０００７】
本考案の主な目的は、モップ又は清掃ブラシ等のクリーニング用具に用いられ、構造が簡単で、軽くて使いやすく、利便性が高く、液体層が液体を便利に放出すると共に払拭層に浸透し、各種の払拭・清潔に有益である液体層を有する払拭構造及びクリーニング装置を提供することにある。
【０００８】
本考案の二つ目の目的は、すばやく且つ均一に液体を放出する液体層を有する払拭構造及びクリーニング装置を提供することにある。
【０００９】
本考案の三つ目の目的は、乾湿両用の払拭・清潔機能を提供する液体層を有する払拭構造及びクリーニング装置を提供することにある。
【課題を解決するための手段】
【００１０】
上記目的を達成するため、本考案は、シール辺を有し、液体を内部に密封させる液体層と、一端が該液体層一側のシール辺に連接される引手と、液体層の一面に連接されるバリア層と、第１の払拭層と、第２の払拭層と、を含み、該液体層、該引手及び該バリア層は、該第１の払拭層と該第２の払拭層との間に設けられ、該バリア層、該第１の払拭層及び該第２の払拭層はそれぞれ結合され、該バリア層、該第１の払拭層及び該第２の払拭層の縁には、少なくとも１つの固定部が形成される液体層を有する払拭構造を提供する。
【００１１】
本考案はまた、シール辺を有し、液体を内部に密封させる液体層と、引手と、バリア層と、第１の払拭層と、第２の払拭層と、を含み、該引手の一端は、該液体層一側のシール辺に連接され、該バリア層は、液体層の一面に連接され、該液体層、該引手及び該バリア層は、該第１の払拭層と該第２の払拭層との間に設けられ、該バリア層、該第１の払拭層及び該第２の払拭層は、それぞれ結合され、該バリア層、該第１の払拭層及び該第２の払拭層の縁には、少なくとも１つの固定部が形成される払拭構造と、ヘッド部と、棒体と、を含み、該ヘッド部は、該棒体の一端に連接され、該払拭構造は、該ヘッド部を覆い、該固定部は、該ヘッド部に固定される液体層を有するクリーニング装置を提供する。
【考案の効果】
【００１２】
本考案は以下の有益な効果を有する。
【００１３】
本考案の払拭構造は、モップ、清掃ブラシ等のクリーニング装置に用いられ、構造が簡単で、軽くて使いやすく、利便性が高い。
【００１４】
また、液体を収納する液体層を有し、該液体層に隣接する第１の払拭層を組み合わせることにより、液体をすばやく且つ均一に放出させることで第１の払拭層に浸透させ、各種の清潔を行う上でたいへん有益な効果をもたらす。
【００１５】
本考案は乾払拭を行う第２の払拭層を更に設けてもよく、この場合、払拭構造は、乾湿両用の払拭・清潔機能有し、機能が更に向上する。
【００１６】
以下、図面を参照しながら本考案に関する詳細な説明をおこなう。しかしながら、図面は、参照及び説明に用いるためのものであり、本考案を制限するものではない。
【図面の簡単な説明】
【００１７】
【図１】本考案の液体層を有する払拭構造の立体図である。
【図２】本考案の液体層を有する払拭構造の立体分解図である。
【図３】本考案の液体層を有する払拭構造の断面分解図である。
【図４】本考案の液体層を有する払拭構造の使用状態の模式図である。
【図５】本考案の液体層を有する払拭構造のその他の実施例の立体図である。
【図６】本考案の液体層を有するクリーニング装置の立体図である。
【図７】本考案の液体層を有するクリーニング装置のその他の実施例の立体図である。
【図８】本考案の液体層を有するクリーニング装置のまた１つの実施例の立体図である。
【図９】周知のクリーニング装置の立体図である。
【図１０】他種の周知クリーニング装置の立体図である。
【考案を実施するための形態】
【００１８】
図１〜図４を参照ながら説明すると、本考案にかかる液体層を有する払拭構造は、液体層１、引手２、バリア層３、第１の払拭層４及び第２の払拭層５を含む。
【００１９】
液体層１は、袋体であり、その内部に洗剤、水等の液体１１を収納することができる。なお、該液体１１の種類は、これに限られず、水状、乳状又は他の各種形態の液体であってよく、必要に応じて適当に変化させればよい。
【００２０】
本実施例における液体層１は、ポリ塩化ビニル（ＰＶＣ）、テレフタル酸ポリエチレン（ＰＥＴ）、ナイロン又はアルミ箔等の材料で製造されているが、材料はこれに限られず、内部に収納される液体１１の種類に応じて適当に変化させてよい。
【００２１】
本実施例における液体層１は、２枚の四角形を呈するシート状材料を重ねたもの（本実施例における液体層１は、２枚のシート状材料から成るが、その枚数には制限が無く、１枚、３枚、または４枚等であってよい。）を２つ折りにし、２つ折りとなったシート状材料の３つの辺を超音波によって融着するか、又はその他の加工方法で密封させる。その後、内部に液体１１を注いだ後、第４の辺を密封させる。これにより、４つの辺にシール辺１２を有し、内部が密閉状態である液体層１が形成され、液体１１が液体層１内部に密封されている。液体１１を収納する液体層１の製造方法は、これに限られず、その他の異なる製造方法で製造されてもよい。
【００２２】
本実施例における引手２は、ストリップ状を呈しているが、形状は、これに限られない。引手２は、液体層１に連接される。具体的に説明すると、引手２の一端が超音波融着又はその他の加工方式によって液体層１一側のシール辺１２と連接される。  液体層１のシール辺１２上の引手２に隣接する両側には、それぞれ切口１３が設けられる。切口１３は、互いに平行又は非平行で設けられてもよい。
【００２３】
引手２の他端は、液体層１の他側に向けて折り曲げられた後は、液体層１の他側から適当な長さ伸び出している。これにより、ユーザーは、引手２を引くことができると共に、引手２を引く際、切口１３のガイドによって液体層１を順調に引き裂くことができる。引手２は、上述した組合せの方式で該液体層１に連接される以外に、液体層１と一体成形によって設けられてもよい。バリア層３は、防水材料で製造される。本実施例におけるバリア層３は、防水可能な不織布で製造され、バリア層３の面積は、液体層１の面積より大きい。バリア層３は、超音波融着又はその他の加工方法で液体層１の一面に連接される。
【００２４】
第１の払拭層４及び第２の払拭層５は、浸透可能且つ払拭可能な材料で製造される。本実施例における第１の払拭層４及び第２の払拭層５は、不織布又はその他の材料によって製造される。また、第１の払拭層４及び第２の払拭層５の厚さは必要に応じて変化させてよく、厚さが厚い場合、好ましい吸水性を有する。
【００２５】
第１の払拭層４及び第２の払拭層５の外形は、バリア層３に対応しており、液体層１、引手２及びバリア層３が第１の払拭層４と第２の払拭層５との間に設けられる。また、液体層１は、バリア層３と第１の払拭層４との間に位置する。
【００２６】
第１の払拭層４、第２の払拭層５及びバリア層３の縁は、超音波融着、裁縫又はその他の加工方法によって結合され、バリア層３、第１の払拭層４及び第２の払拭層５は、一体に結合されている。
【００２７】
第１の払拭層４、第２の払拭層５及びバリア層３の縁の結合において、第１の払拭層４及びバリア層３の一側の引手２に対応した部分は結合しておらず、これにより、第１の払拭層４とバリア層３の一側との間には、穿孔４１が形成される。引手２の他端は、穿孔４１を挿通し、液体層１及び第１の払拭層４の一側から適当な長さ伸び出す。これにより、ユーザーは、引手２を引くことができる。
【００２８】
バリア層３、第１の払拭層４及び第２の払拭層５を結合した後、その縁に少なくとも１つの固定部６を形成する。固定部６により、モップ、清掃ブラシ等のクリーニング用具に固定させることができ、液体層を有するクリーニング装置となる。
【００２９】
本実施例における固定部６は、バリア層３、第１の払拭層４及び第２の払拭層５の両側に相対して形成されるが、固定部６が設けられる位置及び数には制限が無く、例えば、三側又は四側にいずれも固定部６を形成してもよい。
【００３０】
図５を参照しながら説明する。本考案は、引手２を更に１つ含んでもよい。即ち二つの引手２を有する設計となる。この場合、二つ目の引手２の一端は、液体層１の他側のシール辺１２に連接される。つまり、２つの引手２の一端がそれぞれ液体層１の両側のシール辺１２に連接され、ユーザーが同時に２つの引手２を引くことにより、液体層１を更にすばやく引き裂くことができる。
【００３１】
図６及び図７に示すように、本考案の払拭構造１００は、モップ又は清掃ブラシ等のクリーニング用具に設けられることができ、これにより、液体層を有するクリーニング装置となる。
【００３２】
上記２つの実施例において、クリーニング用具は、共にモップであり、ヘッド部２００及び棒体３００を備える。
【００３３】
ヘッド部２００は、棒体３００の一端に連接される。また、ヘッド部２００には、複数のファスニングテープ２０１又は複数の固定槽２０２が設けられる。ファスニングテープ２０１及び固定槽２０２の設けられる数には制限がなく、適当に増減してよい。固定部６との固定方法はこれに限られず、同等の効果がある固定構造（例えばクリップ）で固定してもよい。
【００３４】
払拭構造１００がヘッド部２００を覆い、固定部６をファスニングテープ２０１によってヘッド部２００に接着固定（図６に示すように）する、又は該固定部６を固定槽２０２によってヘッド部２００に係合固定（図７に示すように）する。この際、第１の払拭層４が外部に向けられている。これにより、ヘッド部２００、棒体３００及び払拭構造１００が液体層を有するクリーニング装置をなす。
【００３５】
図８に示すように、本実施例におけるクリーニング装置は、清掃ブラシであり、ヘッド部２００及び棒体３００を備え、ヘッド部２００は、棒体３００の一端に連接され、払拭構造１００がヘッド部２００を覆い、固定部６をファスニングテープ又は固定槽（図略）等の方式によってヘッド部２００に固定する。これにより、ヘッド部２００、棒体３００及び払拭構造１００が液体層を有するクリーニング装置となる。
【００３６】
払拭構造１００がクリーニング用具に設けられた後、ユーザーが引手２を引くことにより、液体層１が引き裂かれ開口１４（図４に示すように）が形成される。その後、引手２が更に分離され、液体層１内の液体１１が開口１４から流れ出すと共に第１の払拭層４に浸透する。これにより、第１の払拭層４を用いて湿払拭の操作が行える。また、払拭構造１００を逆に取り付け、第２の払拭層５を外部に向けることで、液体１１を付けない第２の払拭層５で乾払拭の操作が行なえる。
【００３７】
本考案はまた第２の払拭層５を省略（図示せず）し、即ち払拭構造１００が液体層１、引手２、バリア層３及び第１の払拭層４を含み、第２の払拭層５を設けない場合、湿払拭の操作のみを行うことができる。また、この際、液体層１がバリア層３と第１の払拭層４との間に設けられ、バリア層３と第１の払拭層４が結合し、バリア層３及び第１の払拭層４の縁に少なくとも１つの固定部６が形成される。
【産業上の利用可能性】
【００３８】
（１）本考案の払拭構造１００がモップ又は清掃ブラシ等のクリーニング用具に用いられ、構造が簡単で、軽くて使いやすく、使用が便利で、液体１１を収納する液体層１を有し、液体層１に隣接する第１の払拭層４と組み合わせることにより、液体をすばやく且つ均一に液体１１に放出すると共に、第１の払拭層４に浸透させ、各種の湿払拭及び清潔操作に有益である。
【００３９】
（２）第２の払拭層５を更に設ける事で、乾払拭操作を可能とし、これにより払拭構造１００は、乾湿両用の払拭・清潔機能を提供し、その機能が更に向上する。
【００４０】
上述した各実施例は、本考案の理解を容易にする為のものであり、本考案の液体層を有する払拭構造及びクリーニング装置を限定するものではない。従って、本考案の明細書及び図面に開示される内容を用いて行われる本考案と同等の効果を有する変更、置換え等は、いずれも本考案の範囲に含まれる。
【符号の説明】
【００４１】
１００  払拭構造
１      液体層
１１    液体
１２    シール辺
１３    切口
１４    開口
２      引手
３      バリア層
４      第１の払拭層
４１    穿孔
５      第２の払拭層
６      固定部
２００  ヘッド部
２０１  ファスニングテープ
２０２  固定槽
３００  棒体
１０a    ハンドル
１１a    トレイ
１２a    穿孔
１３a    海綿
１４a    ロールベルト
１５a    ローラー
１６a    ローラー
２０a    ハンドル
２１a    座体
２２a    缶体
２３a    払拭部
【図１】
0003165088.tif 000003
【図２】
0003165088.tif 000004
【図３】
0003165088.tif 000005
【図４】
0003165088.tif 000006
【図５】
0003165088.tif 000007
【図６】
0003165088.tif 000008
【図７】
0003165088.tif 000009
【図８】
0003165088.tif 000010
【図９】
0003165088.tif 000011
【図１０】
0003165088.tif 000012